(57)【特許請求の範囲】
【請求項１】
可撓性シース内に軸線方向に進退自在に挿通配置された操作ワイヤの先端に、前方から見て放射状に等間隔で配置された複数の弾性ワイヤによりかご状に形成されたバスケットが連結され、上記バスケットを上記可撓性シースの先端から突没させると上記各弾性ワイヤの弾性により上記バスケットが膨縮をする内視鏡用バスケット型回収具において、
上記バスケットを形成する弾性ワイヤとして、相対的に軟らかい弾性ワイヤと硬い弾性ワイヤとが用いられ、上記の軟らかい弾性ワイヤが上記バスケットの軸線周りの半部側のみに配置され、上記の硬い弾性ワイヤが他の半部側のみに配置されていることを特徴とする内視鏡用バスケット型回収具。
【発明の詳細な説明】
【０００１】
【発明の属する技術分野】
この発明は、内視鏡の処置具挿通チャンネルに挿通して使用される内視鏡用バスケット型回収具に関する。
【０００２】
【従来の技術】
内視鏡用バスケット型回収具は一般に、可撓性シース内に軸線方向に進退自在に挿通配置された操作ワイヤの先端に、３〜６本程度の弾性ワイヤによりかご状に形成されたバスケットが連結され、バスケットを可撓性シースの先端から突出させると弾性ワイヤの弾性によってバスケットが膨らみ、バスケットを可撓性シース内に引き込むと弾性ワイヤが弾性変形してバスケットが窄まるようになっている。
【０００３】
【発明が解決しようとする課題】
内視鏡用バスケット型回収具を用いることにより、臓器の中の細い分岐管路の奥にある結石等でも手術を行うことなく経内視鏡的に取り出すことができるようになった。
【０００４】
しかし、管路の形態等によっては、図８に示されるように、可撓性シース９１を体内臓器の管路内に押し込んで行った時に、バスケット９２の先端が管路の分岐部にぶつかってそれ以上押し込めなくなり、結石１００の位置まで到達させることができない場合がある。
【０００５】
また、なんとか分岐部を通過させることができても、二点鎖線で示されるように、バスケット９２を結石１００とは逆の分岐の方にしか押し込めない状態になることも珍しくない。
【０００６】
そこで本発明は、臓器中の分岐管路において分岐部を容易に通過させることができ、必要に応じて任意の分岐の方に選択的に挿入することができる内視鏡用バスケット型回収具を提供することを目的とする。
【０００７】
【課題を解決するための手段】
上記の目的を達成するため、本発明の内視鏡用バスケット型回収具は、可撓性シース内に軸線方向に進退自在に挿通配置された操作ワイヤの先端に、複数の弾性ワイヤによりかご状に形成されたバスケットが連結され、バスケットを可撓性シースの先端から突没させると各弾性ワイヤの弾性によりバスケットが膨縮をする内視鏡用バスケット型回収具において、バスケットが、相対的に硬い弾性ワイヤを軟らかい弾性ワイヤに対して偏在させて形成されているものである。
【０００８】
なお、硬い弾性ワイヤがバスケットの中心軸周りの半部側のみに配置されていれば、バスケット部分が顕著な曲がり方向特性を有する。
【０００９】
【発明の実施の形態】
図面を参照して本発明の実施例を説明する。
図１は、図示されていない内視鏡の処置具挿通チャンネルに通して使用される内視鏡用バスケット型回収具の先端部分を示している。
【００１０】
２は、例えば外径が２ｍｍ程度で長さが２ｍ程度の四フッ化エチレン樹脂チューブからなる可撓性シースであり、ステンレス鋼撚り線等からなる操作ワイヤ４が、軸線方向に進退自在に挿通配置されている。
【００１１】
操作ワイヤ４の先端には、接続パイプ３を介してバスケット５が取り付けられている。バスケット５は、例えばステンレス鋼の単線又は撚り線からなる四本の弾性ワイヤ５ａ，５ｂを各々複数箇所で折り曲げてかご状に形成されていて、先端部分は先端チップ６により結束されている。
【００１２】
そして、可撓性シース２の基端に連結された図示されていない操作部から操作ワイヤ４を進退操作することにより、バスケット５が可撓性シース２の先端内に出入りする。
【００１３】
バスケット５は、可撓性シース２外に押し出された状態では各弾性ワイヤ５ａ，５ｂの弾性によってかご状に膨らみ、可撓性シース２内に引き込まれると各弾性ワイヤ５ａ，５ｂが弾性変形して窄まる。
【００１４】
四本の弾性ワイヤ５ａ，５ｂは、バスケット５を正面から見た図２に示されるように、９０°間隔で放射状に配置されており、四本のうちの隣り合う二本には硬い弾性ワイヤ５ａが用いられ、他の隣り合う二本には軟らかい弾性ワイヤ５ｂが用いられている。
【００１５】
硬い弾性ワイヤ５ａと軟らかい弾性ワイヤ５ｂの硬軟は相対的なものであり、例えば硬い弾性ワイヤ５ａとして直径0.15ｍｍの単線を用いて軟らかい弾性ワイヤ５ｂとして直径0.05ｍｍの単線を用いる等、線径が相違する単線を用いてもよく、硬い弾性ワイヤ５ａとして単線を用い、軟らかい弾性ワイヤ５ｂとして撚り線を用いてもよい。
【００１６】
或いは、硬い弾性ワイヤ５ａとして素線が太い例えば３本撚りの撚り線を用い、軟らかい弾性ワイヤ５ｂとして素線が細い例えば１９本撚りの撚り線を用いる等、撚り数が相違する撚り線を用いてもよい。また、撚り数が同じで素線径が相違する撚り線を用いてもよい。
【００１７】
このようにバスケット５が、相対的に硬い弾性ワイヤ５ａを軟らかい弾性ワイヤ５ｂに対して均等に分散させずに偏在させて形成してあると、バスケット５が臓器内管路の分岐部にさしかかった時、硬い弾性ワイヤ５ａ側には曲がり難く、軟らかい弾性ワイヤ５ｂ側に曲がり易い特性を示す。
【００１８】
したがって、図３に示されるように、臓器内管路の分岐部においては、回収したい結石１００がある管路に対して硬い弾性ワイヤ５ａが背側に位置する状態でバスケット５を押し込めば、結石１００が詰まっている分岐の方にバスケット５を挿入することができ、続いて図４に示されるように結石１００を容易に捕獲回収することができる。
【００１９】
そして、図５に示されるように、結石１００が他方の分岐の方にある場合には、可撓性シース２を手元側から軸線周りに回転させ、硬い弾性ワイヤ５ａがその管路に対して背側に位置する状態にしてからバスケット５を押し込めば、結石１００が詰まっている分岐の方にバスケット５が挿入される。このようにして、手元側から可撓性シース２を適宜回転させるだけで、バスケット５を所望の分岐の方に挿入することができる。
【００２０】
なお、本発明は上記実施例に限定されるものではなく、例えば図６に示されるように、弾性ワイヤ５ａ，５ｂの本数は４本以外でもよく、その中の硬い弾性ワイヤ５ａの数も適宜でよい。
【００２１】
図６の実施例では、６本の弾性ワイヤ５ａ，５ｂの中の一本だけが硬い弾性ワイヤ５ａである。また、図７に示されるように、各弾性ワイヤ５ａ，５ｂが曲線的に曲げられていてもよい。
【００２２】
なお、硬い弾性ワイヤ５ａがバスケット５の中心軸周りの半部側のみに配置されていれば、バスケット部分が顕著な曲がり方向特性を有する。ただし、硬い弾性ワイヤ５ａが軟らかい弾性ワイヤ５ｂに対して偏在した構成になっていれば一定の曲がり方向特性が得られる。
【００２３】
【発明の効果】
本発明によれば、複数の弾性ワイヤによってかご状に形成されたバスケットが、相対的に硬い弾性ワイヤを軟らかい弾性ワイヤに対して偏在させて形成されていることにより、バスケット部分は硬い弾性ワイヤ側に曲がり難く、柔らかい弾性ワイヤ側に曲がり易い特性を示すので、臓器中の分岐管路等において分岐部を容易に通過させることができ、必要に応じて、可撓性シースを軸線周りに回転させることにより、任意の分岐の方に選択的に挿入することができる。
【図面の簡単な説明】
【図１】本発明の第１の実施例の内視鏡用バスケット型回収具の先端部分の側面断面図である。
【図２】本発明の第１の実施例の内視鏡用バスケット型回収具の先端部分の正面図である。
【図３】本発明の第１の実施例の内視鏡用バスケット型回収具の使用状態を示す略示図である。
【図４】本発明の第１の実施例の内視鏡用バスケット型回収具の使用状態を示す略示図である。
【図５】本発明の第１の実施例の内視鏡用バスケット型回収具の使用状態を示す略示図である。
【図６】本発明の第２の実施例の内視鏡用バスケット型回収具の先端部分の側面断面図である。
【図７】本発明の第３の実施例の内視鏡用バスケット型回収具の先端部分の側面断面図である。
【図８】従来の内視鏡用バスケット型回収具の使用状態を示す略示図である。
【符号の説明】
２  可撓性シース
４  操作ワイヤ
５  バスケット
５ａ  硬い弾性ワイヤ
５ｂ  軟らかい弾性ワイヤ
１００  結石
【図１】
0004297468.tif 000002
【図２】
0004297468.tif 000003
【図３】
0004297468.tif 000004
【図４】
0004297468.tif 000005
【図５】
0004297468.tif 000006
【図６】
0004297468.tif 000007
【図７】
0004297468.tif 000008
【図８】
0004297468.tif 000009